(57)【要約】【課題】鍵柱に対して軸部材を簡単に着脱することができ、且つ、支持手段を構成する部品の紛失を防止することができるようにすること。【解決手段】管本体１３に取り付けられた一対の鍵柱１６，１６と、これら鍵柱１６，１６の間に位置する鍵棒１８と、この鍵棒１８の途中から音孔１１に向かって延びるキー１９と、各鍵柱１６，１６と鍵棒１８の両端との突き合せ位置にそれぞれ設けられて鍵棒１８を鍵柱１６，１６に支持させる支持手段２１とを備えて鍵機構１４が構成されている。支持手段２１は、鍵棒１８の端面１８Ａ側に形成された凹部２７と、この凹部２７内に配置されて鍵棒１８の端面１８Ａから出没可能な係合部材２８と、鍵柱１６に形成されて係合部材２８を受容可能に設けられた貫通穴２５とを備えている。係合部材２８は、凹部２７からの脱落を規制可能なリング部材３５を介して取り付けられている。【選択図】      図１
2004325981.tif 000002
【特許請求の範囲】
【請求項１】
管本体に取り付けられた複数の鍵柱と、これら鍵柱間に位置するとともに、所定のキーが設けられた軸部材と、この軸部材を鍵柱に着脱自在に支持させる支持手段とを備えた管楽器の鍵機構において、
前記支持手段は、鍵柱及び軸部材の何れか一方の突き合せ位置に設けられるとともに、所定の押圧操作により前記突き合せ位置に対して進退可能に設けられた係合部材と、鍵柱及び軸部材の何れか他方に設けられて前記係合部材を受容可能な受容部とを含み、
前記係合部材は、前記突き合せ位置からの脱落を規制可能なストッパを介して取り付けられていることを特徴とする管楽器の鍵機構。
【請求項２】
管本体に取り付けられた複数の鍵柱と、これら鍵柱間に位置するとともに、所定のキーが設けられた軸部材と、この軸部材を鍵柱に着脱自在に支持させる支持手段とを備えた管楽器の鍵機構において、
前記支持手段は、軸部材の少なくとも一端側に取り付けられるとともに、所定の押圧操作により軸部材の鍵柱に相対する面から出没可能に設けられた係合部材と、前記鍵柱に設けられて前記係合部材を受容可能な受容部とを含み、
前記係合部材は、軸部材からの脱落を規制可能なストッパを介して取り付けられていることを特徴とする管楽器の鍵機構。
【請求項３】
前記受容部は、各鍵柱にそれぞれ形成された穴により構成され、これら穴は、略同一直線上に位置し、且つ、略同一となる内周面形状若しくは当該内周面形状を有する段付き穴とされることを特徴とする請求項１記載の管楽器の鍵機構。
【請求項４】
管本体に取り付けられた複数の鍵柱と、これら鍵柱間に位置するとともに、所定のキーが設けられた軸部材と、この軸部材を鍵柱に着脱自在に支持させる支持手段とを備えた管楽器の鍵機構において、
前記支持手段は、少なくとも一つの鍵柱に取り付けられるとともに、所定の押圧操作により鍵柱の軸部材に相対する面から出没可能に設けられた係合部材と、前記軸部材に設けられて前記係合部材を受容可能な受容部とを含み、
前記係合部材は、鍵柱からの脱落を規制可能なストッパを介して取り付けられていることを特徴とする管楽器の鍵機構。
【発明の詳細な説明】
【０００１】
【発明の属する技術分野】
本発明は、管楽器の鍵機構に係り、更に詳しくは、軸部材の着脱を容易に行うことができる管楽器の鍵機構に関する。
【０００２】
【従来の技術】
公知の管楽器の鍵機構としては、例えば、図８に示されるタイプのものが知られている（特許文献１参照）。この図において、鍵機構５０は、管本体５１に立設された一対の鍵柱５２，５２と、これら鍵柱５２，５２間に位置する鍵棒５３と、この鍵棒５３の両端側にそれぞれ設けられて鍵棒５３を鍵柱５２に支持させる支持手段５５とを備えている。各支持手段５５は、鍵棒５３の端部側に形成された凹部５６内に位置するコイルばね５７と、鍵柱５２の頭部５２Ａに形成された穴５８と、前記凹部５６及び穴５８内に挿入されるとともに、コイルばね５７の弾力により鍵柱５２側に付勢されるピン５９とを備えて構成されている。また、ピン５９の先端側は略楕円状に形成されている一方、穴５８は、その内面におけるピン５９との接触面がテーパ面５８Ａとされている。ここで、鍵柱５２，５２に対して鍵棒５３を取り外す作業は、各鍵柱５２，５２の外側から穴５８内に図示しない押し棒を挿入してピン５９を凹部５６内に埋没させ、穴５８からピン５９を抜け出させることにより行われる。
【０００３】
【特許文献１】
特公平７−８２３１８号公報
【０００４】
【発明が解決しようとする課題】
しかしながら、このような鍵機構５０にあっては、鍵柱５２から鍵棒５３を取り外した瞬間に、コイルばね５７の復元力により当該コイルばね５７やピン５９が飛び出し、これらが紛失する可能性が高くなるという不都合を生じる。しかも、鍵柱５２の穴５８がテーパ面５８Ａを有するため、図９に示されるように、各鍵柱５２，５２を貫通する穴５８をあけた後、テーパ面５８Ａに対応したカッター６１を用いて加工を行う必要がある。このとき、カッター６１とモータ６２とを連結する回転軸６３が細くなり、カッター６１がぶれ易くなって加工精度が低下する他、回転軸６３を穴５８に挿通する前及び後において、カッター６１を着脱しなければならず、製造効率も著しく悪化するという不都合も招来する。
【０００５】
ところで、前記鍵機構５０とは異なるタイプのものとして、図１０（Ａ）〜（Ｃ）に示される鍵機構６５，６６，６７が知られている。図１０（Ａ）の鍵機構６５は、中空筒状をなす鍵棒５３と、頭部５２Ａに雌ねじ穴６８が形成された鍵柱５２と、前記雌ねじ穴６８に螺合するとともに、先端側（図中右端側）が鍵棒５３の内部に挿入されて当該鍵棒５３を鍵柱５２に支持させるねじ部材６９とを備えている。また、図１０（Ｂ）の鍵機構６６は、同図中右側の鍵柱５２の穴だけを雌ねじ穴６８とし、鍵棒５３より長いねじ部材７１を穴５８，雌ねじ穴６８及び鍵棒５３に挿通して鍵棒５３を鍵柱５２に支持させている。更に、図１０（Ｃ）の鍵機構６７は、鍵棒５３の端部に形成された円錐状の内周面を有する穴７２内に、先細形状のねじ部材７３を挿入して鍵棒５３を鍵柱５２に支持させている。
【０００６】
ところが、これら鍵機構６５，６６，６７にあっては、鍵柱５２に対して鍵棒５３を着脱するときに、ねじ部材６９，７１，７３を回す作業が必要となり、この作業が面倒且つ時間を要するという不都合を生じる。しかも、図１０（Ｃ）の鍵機構６７は、前述と同様のカッター６１を用いて穴７２を形成するので、鍵棒５３が、がたつかず円滑に回転するように、すなわち、ねじ部材７３の先端形状にぴったりと嵌り合うように穴７２の深さを調整するため、熟練度と多大な手間が必要になるという不都合もある。
【０００７】
【発明の目的】
本発明は、このような不都合に着目して案出されたものであり、その目的は、鍵柱に対して軸部材を簡単に着脱することができ、且つ、支持手段を構成する部品の紛失を防止することができる管楽器の鍵機構を提供することにある。
【０００８】
【課題を解決するための手段】
前記目的を達成するため、本発明は、管本体に取り付けられた複数の鍵柱と、これら鍵柱間に位置するとともに、所定のキーが設けられた軸部材と、この軸部材を鍵柱に着脱自在に支持させる支持手段とを備えた管楽器の鍵機構において、前記支持手段は、鍵柱及び軸部材の何れか一方の突き合せ位置に設けられるとともに、所定の押圧操作により前記突き合せ位置に対して進退可能に設けられた係合部材と、鍵柱及び軸部材の何れか他方に設けられて前記係合部材を受容可能な受容部とを含み、
前記係合部材は、前記突き合せ位置からの脱落を規制可能なストッパを介して取り付けられる、という構成を採っている。
具体的には、前記支持手段は、軸部材の少なくとも一端側に取り付けられるとともに、所定の押圧操作により軸部材の鍵柱に相対する面から出没可能に設けられた係合部材と、前記鍵柱に設けられて前記係合部材を受容可能な受容部とを含み、
前記係合部材は、軸部材からの脱落を規制可能なストッパを介して取り付けられる、という構成、或いは、
前記支持手段は、少なくとも一つの鍵柱に取り付けられるとともに、所定の押圧操作により鍵柱の軸部材に相対する面から出没可能に設けられた係合部材と、前記軸部材に設けられて前記係合部材を受容可能な受容部とを含み、
前記係合部材は、鍵柱からの脱落を規制可能なストッパを介して取り付けられる、という構成を採用している。このような構成によれば、鍵柱に対して軸部材を着脱するときに、鍵柱や軸部材から係合部材が不用意に脱落して紛失することを防止することができる。これにより、例えば、係合部材を受容部側に付勢するコイルばねを設けた場合、当該コイルばねの復元力による係合部材の飛び出しを有効に回避でき、鍵柱から軸部材を着脱する作業をスムースに行うことができる。しかも、係合部材を押圧することにより進退若しくは出没可能としたので、従来のようなねじ回し作業が不要となり、これによっても、軸部材の着脱作業の簡易化、迅速化を達成することが可能となる。
【０００９】
【発明の実施の形態】
本発明において、前記受容部は、各鍵柱にそれぞれ形成された穴により構成され、これら穴は、略同一直線上に位置し、且つ、略同一となる内周面形状若しくは当該内周面形状を有する段付き穴とされる、という構成を採ることが好ましい。このような構成によれば、各穴を略同一の内周面形状とした場合、一本のドリルを用いて各鍵柱を連続して穴加工することができ、製造効率を向上させることが可能となる。また、前記穴を段付き穴とした場合であっても、前述した穴加工に加え、段付き穴に対応する形状カッターを用いることで、従来よりも簡便に穴加工を行うことができる。
【００１０】
【実施例】
以下、本発明の実施例を図面を参照しながら説明する。
【００１１】
［第１実施例］
図１には、第１の実施例に係る鍵機構を備えた木管楽器の要部拡大図が示されている。この図において、木管楽器１０は、フルート、クラリネット、オーボエ、ファゴット、サクソフォン等に例示される管楽器であり、音孔１１が形成された管本体１３と、音孔１１を開閉するための鍵機構１４とを備えて構成されている。
【００１２】
前記鍵機構１４は、管本体１３の外周面に取り付けられた一対の鍵柱１６，１６と、これら鍵柱１６，１６の間に位置する略中実の円柱状をなす軸部材としての鍵棒１８と、この鍵棒１８の途中から音孔１１に向かって延びるキー１９と、各鍵柱１６，１６と鍵棒１８の両端との突き合せ位置にそれぞれ設けられるとともに、鍵棒１８を軸回りに回転可能に鍵柱１６，１６に支持させる支持手段２１とを備え、鍵棒１８の回転によるキー１９の揺動によって、音孔１１を開閉するようになっている。
【００１３】
前記鍵柱１６は、管本体１３の外周面に固定された脚部２３と、この脚部２３に連なる略球状の頭部２４とにより構成されている。頭部２４は、鍵棒１８の延出方向（図１中左右方向）に沿って延びるとともに、鍵棒１８より細い内径となる受容部としての貫通穴２５を備えている。各貫通穴２５は、前記鍵棒１８と略同一の中心軸線上にそれぞれ形成されるとともに、相互に略同一の内周面形状をなす丸穴状に形成され、一本のドリル等を用いて各鍵柱１６，１６を跨ぐように連続して穴加工可能に設けられている。また、頭部２４は、鍵棒１８の端面１８Ａと相対して突き合わされる領域に略フラットな突き合せ面２４Ａを備えている。
【００１４】
前記支持手段２１は、鍵棒１８の端面１８Ａ側に形成された凹部２７と、この凹部２７内に配置されて鍵棒１８の延出方向に沿って進退可能となる係合部材２８と、この係合部材２８と凹部２７の底部側との間に位置するコイルばね２９と、前記係合部材２８を部分的に受容する前記貫通穴２５とを備えている。
【００１５】
前記係合部材２８は、鍵棒１８が鍵柱１６，１６間に装着されたときに、コイルばね２９によって前記端面１８Ａから突出する方向に付勢されている。係合部材２８は、前記凹部２７の内径と略同一となる径寸法を有する円筒状の大径部３１と、この大径部３１に段部３２を介して連設されるとともに、前記貫通穴２５の内径と略同一の径寸法に形成された小径部３３とを備えて構成されている。小径部３３は、凹部２７の端面１８Ａ側における内周部に圧入されたストッパとしてのリング部材３５を貫通している。リング部材３５は、小径部３３の外径より若干大きい内径を備え、常時は、段部３２に接して凹部２７から係合部材２８が凹部２７から脱落することを規制している。
【００１６】
以上の構成において、各鍵柱１６，１６間に支持された鍵棒１８を取り外す場合、図２に示されるように、各鍵柱１６，１６の外側（図２中左側）から貫通穴２５内に押しピンＰを挿入し、当該押しピンＰにより小径部３３の先端側をコイルばね２９の弾力に抗して押圧する。これにより、係合部材２８が凹部２７内に埋没し、小径部３３が貫通穴２５から抜け出ることとなり、鍵柱１６，１６から鍵棒１８を取り外し可能となる。このとき、鍵棒１８を持ち上げると、押しピンＰによる係合部材２８の押圧状態が解除され、コイルばね２９の弾力により係合部材２８が鍵棒１８の端面１８Ａから突出する方向に移動するが、段部３２がリング部材３５に接して係合部材２８の移動が規制され、当該係合部材２８の凹部２７からの飛び出しが回避される。
【００１７】
一方、鍵柱１６，１６に鍵棒１８を取り付ける作業は、図３に示されるように、鍵棒１８の端面１８Ａから突出する小径部３３を指で押さえ、当該小径部３３を凹部２７内に埋没させながら各鍵柱１６，１６間に鍵棒１８を位置させればよい。そして、小径部３３が貫通穴２５と略同一軸線上に位置すると、「カチッ」という音を発生して貫通穴２５内に小径部３３が嵌り込み、各鍵柱１６，１６間に鍵棒１８が回転可能に支持される。
【００１８】
従って、このような第１の実施例によれば、係合部材２８に段部３２を形成するとともに、当該段部３２に突き当たるリング部材３５を凹部２７内に設けたので、鍵棒１８の着脱を行うときに、コイルばね２９の弾力による係合部材２８の飛び出しを確実に回避することができる。また、押しピンＰにより係合部材２８を押圧可能としたから、ねじを用いて鍵棒１８を支持する構造と比べ、鍵棒１８の着脱を容易且つ迅速に行うことができる。
【００１９】
次に、本発明の前記以外の実施例について説明する。なお、以下の説明において、前記第１の実施例と同一若しくは同等の構成部分については必要に応じて同一符号を用いるものとし、説明を省略若しくは簡略にする。
【００２０】
［第２実施例］
図４には、本発明の第２の実施例が示されている。この実施例は、鍵棒１８の一方の端面１８Ａ（図４中左側）側に前記支持手段２１を設ける一方、鍵棒１８の他方の端面１８Ａ側（同図中右側）に、当該端面１８Ａから突出する突起３７を連設したものである。すなわち、前記突起３７は、鍵棒１８の図４中左側における係合部材２８の小径部３３と同一軸線上に位置して鍵柱１６の貫通穴２５に受容可能に設けられている。
【００２１】
従って、このような第２の実施例によっても、第１実施例と同様の作用、効果を得ることができる他、鍵棒１８の着脱時における係合部材２８の押圧操作を鍵棒１８の一端側（図４中左端側）だけで行えばよくなり、第１の実施例よりも鍵棒１８を迅速に着脱することができる。
【００２２】
［第３実施例］
図５には、本発明の第３の実施例が示されている。この実施例は、鍵棒１８を中空筒状に形成し、当該鍵棒１８の内部に芯棒３９を挿入したところに特徴を有する。すなわち、芯棒３９は、一端側すなわち図５中左端側がコイルばね２９に突き当たり、他端側がすなわち同図中右端側が鍵棒１８の右側の端面１８Ａから突出する長さに設けられている。芯棒３９は、鍵棒１８の延出方向に沿って移動して右端側が鍵棒１８の端面１８Ａから出没可能に設けられる一方、常時は、コイルばね２９によって右端側が前記端面１８Ａから突出する方向に付勢されている。また、同図中右側の鍵柱１６は、芯棒３９の径寸法と略同一の内径となる太径穴部４０Ａを有する段付き穴４０を備え、この段付き穴４０の段差形成面４０Ｂに芯棒３９の図５中右側の端面３９Ａが突き当たるようになっている。
【００２３】
従って、このような第３の実施例によれば、第１の実施例よりもコイルばね２９やリング部材３５の設置数を少なくすることができ、構造の簡略化、製造の容易化を達成することができる。
【００２４】
［第４実施例］
図６には、本発明の第４の実施例が示されている。この実施例は、係合部材２８を鍵柱１６側に設けるとともに、係合部材２８の小径部３３を受容可能な受容部としての挿通穴４２を鍵棒１８に設けたところに特徴を有する。すなわち、前記係合部材２８は、鍵柱１６の頭部２４に形成された穴４３内に配置され、小径部３３が頭部２４の突き合せ面２４Ａから出没可能となっている。穴４３の突き合せ面２４Ａ側には、当該穴４３から係合部材２８の脱落を規制するリング部材３５が圧入されている一方、これと反対側には蓋部材４４が設けられ、この蓋部材４４と係合部材２８との間にコイルばね２９が配置されている。
【００２５】
鍵棒１８に形成された挿通穴４２は、小径部３３の径寸法と略同一の内径を備えている。挿通穴４２の内部には、棒部材４６が挿通されており、この棒部材４６は、鍵棒１８より若干短い長さに設定され、具体的には、鍵棒１８が鍵柱１６，１６間に取り付けられたときに、一端側すなわち図６中左端側が小径部３３の先端に突き当たり、他端側すなわち同図中右端側が鍵棒１８の右側の端面１８Ａから突出する長さに設けられている。また、同図中右側の鍵柱１６は、棒部材４６の図６中右側の端面４６Ａが突き当たる段差形成面４７Ａを有する段付き穴４７を備えている。
【００２６】
以上の構成において、鍵柱１６，１６から鍵棒１８を取り外す作業は、段付き穴４７の外側（図６中右側）から押しピンＰを挿入し、コイルばね２９の弾力に抗して棒部材４６の端面４６Ａを押圧すればよい。このとき、棒部材４６の右側領域が段付き穴４７から抜け出て挿通穴４２に収容されると同時に、棒部材４６によって係合部材２８が鍵柱２４の穴４３内に埋没し、鍵柱１６，１６から鍵棒１８を取り外し可能となる。
【００２７】
従って、このような第４の実施例によれば、押しピンＰによる押圧操作を鍵棒１８の一端側だけで簡単に行うことができる。また、係合部材２８及びコイルばね２９を鍵柱１６の穴４３内に配置したので、鍵棒１８の構造の簡略化を達成することが可能となる。
【００２８】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、数量、位置若しくは方向、その他の詳細な構成において、当業者が様々な変形を加えることができるものである。
【００２９】
例えば、本発明に係るストッパは、凹部２７又は穴４３に圧入されるリング部材３５としたが、係合部材２８の脱落を規制可能である限りにおいて種々の設計変更が可能である。例えば、前述した各実施例の構成に代えて、図７（Ａ）及び（Ｂ）に示される構成が例示できる。図７（Ａ）の構成は、リング部材３５の外周面に雄ねじ部３５Ａを形成する一方、凹部２７の内周面に雌ねじ部２７Ａを形成し、これら各ねじ部３５Ａ，２７Ａを螺合させてリング部材３５を凹部２７に取り付けたものである。また、図７（Ｂ）の構成は、図７（Ａ）の構成に加えてリング部材３５の図中右側（鍵柱１６側）に鍵棒１８と略同一の外径をなすヘッド部４８を連設したものである。このような構成によれば、リング部材３５の回転により、鍵棒１８の端面１８Ａからのリング部材３５の突出幅を調整することが可能となる。これにより、鍵棒の１８の端面１８Ａと鍵柱１６の突き合せ面２４Ａとの間に隙間が生じた場合であっても、当該隙間を解消することができ、鍵棒１８の寸法精度を緩和することが可能となる。
【００３０】
【発明の効果】
以上説明したように、本発明は、軸部材若しくは鍵柱に、ストッパを介して係合部材を取り付けたから、軸部材を鍵柱に着脱するときに、軸部材若しくは鍵柱から係合部材が不用意に脱落することを効果的に防止することができる。これにより、係合部材を付勢するコイルばね等を設けた場合であっても、コイルばねの復元力によって係合部材が飛び出すことを回避することができ、軸部材を鍵柱に容易且つスムースに着脱することが可能となる。また、所定の押圧操作により係合部材を進退若しくは出没可能としたので、従来のようなねじ回し作業を不要として軸部材の着脱作業の迅速化を図ることができる。
【００３１】
また、各鍵柱にそれぞれ形成された穴により受容部を構成し、各穴は、略同一直線上に位置し、且つ、略同一の内周面形状を有するから、一本のドリルにより各鍵柱に連続して穴加工を施すことができ、製造工程の簡素化を達成することができる。更に、前記穴を段付き穴とした場合であっても、当該段付き穴に対応する形状カッターを用いることで、従来よりも簡便に穴加工を行うことができる。
【図面の簡単な説明】
【図１】第１の実施例に係る鍵機構を備えた木管楽器の要部拡大図。
【図２】前記鍵機構における鍵棒の取り外し要領を示す説明図。
【図３】前記鍵機構における鍵棒の取り付け要領を示す説明図。
【図４】第２の実施例に係る鍵機構の図１と同様の拡大図。
【図５】第３の実施例に係る鍵機構の図１と同様の拡大図。
【図６】第４の実施例に係る鍵機構の図１と同様の拡大図。
【図７】（Ａ）は、変形例に係るリング部材の拡大図であり、（Ｂ）は、他の変形例に係るリング部材の拡大図。
【図８】従来例に係る鍵機構を備えた木管楽器の要部拡大図。
【図９】図８の鍵柱における穴の加工要領を示す説明図。
【図１０】（Ａ）〜（Ｃ）は、他の各種従来例を説明するための要部断面図。
【符号の説明】
１０・・・木管楽器、１３・・・管本体、１４・・・鍵機構、１６・・・鍵柱、１８・・・鍵棒（軸部材）、１９・・・キー、２１・・・支持手段、２５・・・貫通穴（受容部）、２８・・・係合部材、３５・・・リング部材（ストッパ）、４０・・・段付き穴
【図１】
2004325981.tif 000003
【図２】
2004325981.tif 000004
【図３】
2004325981.tif 000005
【図４】
2004325981.tif 000006
【図５】
2004325981.tif 000007
【図６】
2004325981.tif 000008
【図７】
2004325981.tif 000009
【図８】
2004325981.tif 000010
【図９】
2004325981.tif 000011
【図１０】
2004325981.tif 000012